(57)【要約】  【課題】薬剤ケースを簡易に着脱でき、かつ的確な取付状態を得ることができるようにした、より使い勝手に優れた薬剤塗布用具を提供する。  【解決手段】支持杆１の基端側を把手１２とし先端側に薬剤収容ケース等の筐体３を取り付けるにあたり、その先端側に変形可能な湾曲部１１を形成するとともに、一端部２ｂを湾曲部１１の先端付近に取り付けた帯状をなす緊締具２の他端部２ｂを湾曲部１１よりも基端側において支持杆１の他の部位に着脱し得るように構成し、湾曲部１１に筐体３を添設してその上から緊締具２を係り合わせ、その緊締具２で湾曲部１１との間に筐体３を挟み込みつつ他端部２ｂを支持杆１の他の一部に取着することによって、塗布部３ａを支持杆１の長手方向と交叉する方向に向けて筐体３を固定し得るようにした。  【選択図】図１
0003130998.tif 000002
【実用新案登録請求の範囲】
【請求項１】
支持杆の基端側を把手とし先端側に薬剤収容ケースや薬剤転着用アタッチメント等の筐体を取り付けるようにしたものであって、その先端側に湾曲部を形成するとともに、一端部を湾曲部の先端付近に取り付けた紐状あるいは帯状をなす緊締具の他端部を湾曲部よりも基端側において支持杆の他の部位に着脱し得るように構成しておき、湾曲部に筐体を添設してその上から緊締具を係り合わせ、その緊締具で湾曲部との間に筐体を挟み込みつつ他端部を支持杆の他の部位に取着することによって、塗布部を支持杆の長手方向と交叉する方向に向けて筐体を固定し得るようにしたことを特徴とする薬剤塗布用具。
【請求項２】
筐体の上から係り合わせた際に緊締具が対面している支持杆の面より裏面部に回り込んだ位置を少なくとも他の部位として当該緊締具の他端部を取着するようにしている請求項１記載の薬剤塗布用具。
【請求項３】
支持杆の基端側を把手とし先端側に薬剤収容ケース或いは薬剤転着用アタッチメント等の筐体を取り付けるようにしたものであって、その先端側に湾曲部を形成するとともに、一端部を湾曲部よりも基端側において支持杆に取り付けた紐状あるいは帯状をなす緊締具の他端部を湾曲部の先端を経て支持杆の他の部位である湾曲部の裏面部あるいは湾曲部を越えた支持杆の裏面部に着脱し得るように構成しておき、湾曲部に筐体を添設してその上から緊締具を係り合わせ、その緊締具で湾曲部との間に筐体を挟み込みつつ他端部を湾曲部の裏面部あるいは湾曲部を越えた支持杆の裏面部に取着することによって、塗布部を支持杆の長手方向と交叉する方向に向けて筐体を固定し得るようにしたことを特徴とする薬剤塗布用具。
【請求項４】
支持杆が孫の手状のものである請求項１、２又は３何れかに記載の薬剤塗布用具。
【請求項５】
湾曲部が、少なくとも一部に変形を誘発する変形誘発部を設けて撓り易くしたものである請求項１、２、３又は４何れかに記載の薬剤塗布用具。
【請求項６】
変形誘発部が支持杆に設けた溝等の薄肉部である請求項５記載の薬剤塗布用具。
【請求項７】
緊締具が伸縮可能な弾力を有するものである請求項１，２，３，４，５又は６何れかに記載の薬剤塗布用具。
【請求項８】
緊締具の他端部と支持杆の他の部位とが、面ファスナーを介して脱着可能とされている請求項１、２、３、４、５，６又は７何れかに記載の薬剤塗布具。
【考案の詳細な説明】
【技術分野】
【０００１】
本考案は、背中等の手の届き難い部位に一人で薬剤を塗布する上で有用となる薬剤塗布用具に関するものである。
【背景技術】
【０００２】
背中等の手の届き難い部位に薬剤を塗布する補助具として、従来より、特許文献１、２等に示すものが提案されている。
【０００３】
先行文献１のものは、孫の手状の部材の先端に洗濯ばさみ状の挟持具６を設けて、この挟持具６に薬剤ケースを挟むことができるように構成されており、先行文献２のものは、孫の手の把手側に保持枠２を設け、この保持枠２にキャップ１４付きの薬剤ケース１１を着脱可能に取り付けて、キャップ１４を外すことで塗り薬を背中の患部に塗ることができるように構成されている。
【特許文献１】特開２００２−１３６６０２号公報
【特許文献２】特開平９−２２５０３８号公報
【考案の開示】
【考案が解決しようとする課題】
【０００４】
ところが、特許文献１のものは、挟持具６を開くのに指先の力を要するため、指に力が入らない者には使い難い上に、薬剤ケースの太さによって挟持具６の角度が変わり、部分的に挟み込む線接触状態になるので、十分な取付強度が得にくく、外れ易いという難点がある。
【０００５】
また、特許文献２のものは、薬剤ケース１１を保持枠２に差し込んでねじで止めする構造のものであり、ねじ止めに指先の力を要する上に、太さが違うと薬剤ケース１１が保持枠２に入らなかったり、逆に薬剤ケース１１が小さすぎて中で遊んでしまいしっかりと固定できないので、上記と同様の問題がある。
【０００６】
本考案は、このような課題に着目してなされたものであって、薬剤ケースを簡易に着脱でき、かつ的確な取付状態を得ることができるようにした、より使い勝手に優れた薬剤塗布用具を提供しようとするものである。
【課題を解決するための手段】
【０００７】
本考案は、かかる目的を達成するために、次のような手段を講じたものである。
【０００８】
すなわち、本考案の薬剤塗布用具は、支持杆の基端側を把手とし先端側に薬剤収容ケースや薬剤転着用アタッチメント等の筐体を取り付けるようにしたものであって、その先端側に湾曲部を形成するとともに、一端部を湾曲部の先端付近に取り付けた紐状あるいは帯状をなす緊締具の他端部を湾曲部よりも基端側において支持杆の他の部位に着脱し得るように構成しておき、湾曲部に筐体を添設してその上から緊締具を係り合わせ、その緊締具で湾曲部との間に筐体を挟み込みつつ他端部を支持杆の他の部位に取着することによって、塗布部を支持杆の長手方向と交叉する方向に向けて筐体を固定し得るようにしたことを特徴とする。
【０００９】
このように構成すると、緊締具を締付けた際に、湾曲部によって筐体のおさまりが良好となる上に、紐状あるいは帯状をなす緊締具が筐体の外周に沿うように添接し、その状態で緊締具の他端部を支持杆の他の部位に取着することで、緊締具と支持杆との間に筐体を挟み込んで固定するので、緊締具を筐体の外周に有効な範囲に亘って密着させることができ、太さが変わってもずれ難い的確な固定状態を得ることができる。このような効果は、筐体が円筒以外の形状である場合等にも同様である。そして、紐やベルト等の緊締具を筐体に係り合わせて支持杆に固定するだけであるので、掌全体で操作することができ、指に力が入り難い者にも扱い易いものとなる。
【００１０】
緊締具の他端部が支持杆の他の部位から容易に引き剥がされないようにするためには、筐体の上から係り合わせた際に緊締具が対面する支持杆の面より裏面部に回り込んだ位置を少なくとも他の部位として当該緊締具の他端部を取着するようにしていることが望ましい。
【００１１】
或いは、本考案の他の構成に係る薬剤塗布用具は、支持杆の基端側を把手とし先端側に薬剤収容ケース或いは薬剤転着用アタッチメント等の筐体を取り付けるようにしたものであって、その先端側に湾曲部を形成するとともに、一端部を湾曲部よりも基端側において支持杆に取り付けた紐状あるいは帯状をなす緊締具の他端部を湾曲部の先端を経て支持杆の他の部位である湾曲部の裏面部あるいは湾曲部を越えた支持杆の裏面部に着脱し得るように構成しておき、湾曲部に筐体を添設してその上から緊締具を係り合わせ、その緊締具で湾曲部との間に筐体を挟み込みつつ他端部を湾曲部の裏面部あるいは湾曲部を越えた支持杆の裏面部に取着することによって、塗布部を支持杆の長手方向と交叉する方向に向けて筐体を固定し得るようにしたことを特徴とする。
【００１２】
このように構成すると、緊締具を締付けた際に、湾曲部によって筐体のおさまりが良好となる上に、紐状あるいは帯状をなす緊締具が筐体の外周に沿うように添接し、その状態で緊締具の他端部を支持杆の他の部位に取着することで、緊締具と支持杆との間に筐体を挟み込んで固定するので、緊締具を筐体の外周に有効な範囲に亘って密着させることができ、太さが変わってもずれ難い的確な固定状態を得ることができる。このような効果は、筐体が円筒以外の形状である場合等にも同様である。そして、紐やベルト等の緊締具を筐体に係り合わせて支持杆に固定するだけであるので、掌全体で操作することができ、指に力が入り難い者にも扱い易いものとなる。さらに、この構成によると、緊締具の他端部は自ずと支持杆の裏面部に回り込んで取着されるので、ワンタッチ操作で所要の固定状態を有効に実現することができる。
【００１３】
支持杆の好ましい形態としては、孫の手状をなしているものが挙げられる。
【００１４】
特に、筐体のおさまりをより良好にして安定度を高めるためには、当該湾曲部の少なくとも一部に変形を誘発する変形誘発部を設けて撓り易くしておくことが望ましい。
【００１５】
変形誘発部としては、支持杆に溝等の薄肉部を設けておく態様のものが簡単かつ効果的である。
【００１６】
緊締具によって筐体をより的確に固定し得るようにするためには、当該緊締具が伸縮可能な弾力を有するものであることが望ましい。
【００１７】
緊締具の他端部を、筐体の外形寸法の相違等を吸収しつつ支持杆の他の部位に簡単確実に着脱できるようにするためには、面ファスナーを介した脱着構造としておくことが好ましい。
【考案の効果】
【００１８】
本考案は、以上説明した構成であるから、指先に力が入らない高齢者等であっても、薬剤収容ケース等の筐体を簡易に着脱でき、しかもずれ難い的確な固定状態を得て、手の届かない患部に一人で薬剤の塗布等が行えるようにした、使い勝手に優れた薬剤塗布用具を簡単かつ安価に提供することが可能となる。
【考案を実施するための最良の形態】
【００１９】
以下、本考案の実施形態を、図面を参照して説明する。
（第１実施形態）
【００２０】
図１に示す本実施形態の薬剤塗布具は、プラスチック等の樹脂や竹等のある程度弾性を有する素材よりなる孫の手状の部材を支持杆１として用い、この支持杆１の湾曲部１１に帯状の緊締具２を用いて薬剤収容ケースや薬剤転着用アタッチメント等の筐体３を取り付けるようにしたものである。
【００２１】
支持杆１は、基端側の板状部分を把手１２とし、先端側に湾曲部１１を有していて、その湾曲部１１の先端を枝分かれさせた孫の手状とし、或いは全体に通常の孫の手をそのまま用いたものである。
【００２２】
そして、その支持杆１の湾曲部１１に変形誘発部たる複数条の薄肉部１１ａを設けるとともに、その湾曲部１１の先端付近に帯状をなす緊締具２の一端部２ａを取り付けている。
【００２３】
薄肉部１１ａは、図１及び図２に示すように、湾曲部１１の内面側において支持杆１が延びる方向と直交する方向に、複数の溝を、支持杆１の湾曲部１１の基端側から先端側に向けて間欠的に形成したもので、その溝は断面Ｖ字状ないし波状をなし、外力を加えた際に図２→図３のように溝巾を狭めながら曲率半径が小さくなる方向に撓り易くなっている。
【００２４】
緊締具２は、繊維や樹脂等を素材とする帯状のもので、一端部２ａをその湾曲部１１の先端付近に接着等により固定し、他端部２ｂを自由端として、その他端部２ｂのうち支持杆１と対面する側の面に所要領域に亘って面ファスナー要素２１を取り付けている。そして、支持杆１の湾曲部１１よりも基端側における対応部位に、前記面ファスナー要素２１の脱着の相手となる面ファスナー要素２２を貼着して、これらの面ファスナー要素２１，２２により面ファスナー２ｘを構成して、この面ファスナー２ｘを介して、緊締具２の他端部２ｂを支持杆１に着脱可能に取着し得るようにしている。この緊締具２の中間部は、一端部２ａ及び他端部２ｂに比して幅広に設けてあり、筐体３に広い範囲で接触し得るようにしている。
【００２５】
次に、この薬剤塗布用具に筐体３を取り付ける際の様子を説明する。筐体３は、内部に薬剤を収容し端部を塗布部３ａとしてその塗布部３ａに薬剤を導出するようにした円筒状をなす市販の薬剤収容ケースの筐体である。
【００２６】
先ず、図１及び図２に想像線で示すように、支持杆１の湾曲部１１の内面側に筐体３を、その軸心ｍを支持杆１の長手方向と交叉する方向に向けて添わせ、その上から緊締具２を、筐体３を抱き込むように巻き付けて、その緊締具２を図３に矢印Ａで示すように引っ張りながら、当該他端部２ｂに設けた面ファスナー要素２１を支持杆１の対応部位に設けた面ファスナー要素２２に押し付けるようにして貼り付ける。これにより、面ファスナー要素２１，２２同士が接着して、湾曲部１１は筐体３の外周に沿って若干変形した状態が保たれ、筐体３は緊締具２と湾曲部１１との間に挟み込まれた状態で、図４に示すように塗布部３ａを支持杆１の長手方向と交叉する方向に向けて脱落し得ないように保持される。
【００２７】
この状態で支持杆１の把手１２を把持して肩越しに筐体３を背中の患部付近に位置づけ、当該筐体３の軸心ｍ方向の端部に設けた塗布部３ａを患部に押し付けることで、内部の薬剤が導出されて患部に塗布されることとなる。
【００２８】
なお、把手１２の基端における筐体保持側の面には突起１３ａが多数設けられてブラシ部１３を構成しており、このブラシ部１３を背中の痒い部分を掻く目的等に利用できるようになっていて、孫の手本来の機能を奏する湾曲部の先端周辺を筐体保持に使用することによる代替構造となっている。このブラシ部１３を支持杆１の幅寸法よりも幅広にしておく態様等も有効である。
【００２９】
以上のように、本実施形態の薬剤塗布用具は、支持杆１の基端側を把手１２とし先端側に筐体３を取り付けるにあたり、支持杆１の先端側に形成した湾曲部１１に筐体３を添設してその上から緊締具２を係り合わせ、その緊締具２を、湾曲部１１との間に筐体３を挟み込んだ状態で支持杆１に取着して、塗布部３ａを支持杆１の長手方向と交叉する方向に向けて筐体３を固定し得るようにしたものである。
【００３０】
すなわち、緊締具２を締付けた際に、湾曲部１１によって筐体３のおさまりが良好となる上に、帯状をなす緊締具２が筐体３の外周に沿うように添接し、その状態で緊締具２の他端部２ｂを支持杆１の他の部位に取着することで緊締具２と支持杆１との間に筐体３を挟み込んで固定するので、緊締具２を筐体３の外周に有効な範囲に亘って密着することができ、筐体３の太さが変わってもずれ難い的確な固定状態を得ることができる。このような効果は、筐体３が円筒以外の形状である場合等にも同様である。そして、緊締具２を筐体３に係り合わせて支持杆１に固定するだけであるので、掌全体で操作することができ、指に力が入り難い者にも扱い易いものとなる。
【００３１】
特に支持杆１が孫の手状であって、当初より適度な湾曲形状を有しているため、一般的な規格の薬剤収容ケース等を構成する筐体３を収まりよくバックアップすることに適しており、湾曲部の変形を期待する場合にも当初から適度に湾曲していることでさほど大きく湾曲部１１を変形させずに済み、指先が分かれていて適度な弾力がある点も変形に好都合である上に、既存の孫の手に若干の加工を施すだけで本考案を構成することもできるので、身近な物を利用して作り易いという利点も得られるものとなる。
【００３２】
特に、湾曲部１１に変形誘発部として溝形状の薄肉部１１ａを設けており、湾曲部１１が先端を引張られた際に筐体３の外周に沿うように撓って変形するので、筐体３のおさまりが一層良好となって安定度が増すことになり、且つこのような薄肉部１１ａであれば樹脂成形、切削加工の何れによっても簡単に形成することができる。
【００３３】
さらに、緊締具２の他端部２ｂと支持杆１の対応部位との間に面ファスナー２ｘを設け、この面ファスナー２ｘを介して筐体３を所要の緊張状態の下に固定し得るようにしているので、筐体３の外形寸法の相違等を吸収しつつこれを緊締具２と支持杆１との間で簡単に着脱することが可能となる。
【００３４】
以上により、この薬剤塗布用具は、高齢者や疾患者等であって一人暮らしの者あるいは介護者の不在の時などに、背中等の手の届かない患部に薬剤を塗布する上で安全で極めて使い勝手に優れた有用なものとなり、本実施形態はこのような薬剤塗布用具を簡単かつ安価に提供することができる。
【００３５】
なお、上記実施形態の変形例としては、例えば、図５に示すように、筐体３の上から係り合わせた際に緊締具１０２が対面することとなる支持杆１の表面部１ａに緊締具１０２の他端部１０２ｂを単に取着するのではなく、図６（ａ）、（ｂ）に示すように支持杆１の裏面部１ｂを他の部位として当該緊締具１０２の他端部１０２ｂ´を当該裏面部１ｂに回り込ませて取着するようにしていることが特に望ましい。図示例では、このために、硬い方の面ファスナー要素１２２を支持杆１の横断面をほぼ周回するように取り付ける一方、緊締具１０２の他端部１０２ｂ´を前記他端部１０２ｂとＴ字をなす関係で構成してそのＴ字の部分に柔らかい方の面ファスナー要素１２１を取り付けて、これら両面ファスナー要素１２１，１２２により面ファスナー１０２ｘを構成しており、緊締具１０２の他端部１０２ｂに位置する面ファスナー要素１２１の中央部分を支持杆１の表面部１ａ側の面ファスナー要素１２２に取着するとともに、緊締具１０２の他端部１０２ｂ´に位置する面ファスナー要素１２１の腕の部分を支持杆１の裏面部１ｂに回り込ませそこで支持杆１の面ファスナー要素１２２に取着するようにしている。このように構成すると、緊締具１０２が図６（ａ）に矢印で示す方向に引張られても、支持杆１の裏面部１ｂにおいて面ファスナー要素１２１，１２２間に同図（ｂ）に矢印で示すような横方向への引っ張り力が働くだけで、直接引き剥がす方向（面に垂直方向）の力として作用することがないので、面ファスナー１０２ｘの吸着力を最大限に利用して他端部１０２ｂ´の定着状態を良好にすることができ、他端部１０２ｂも手伝って、緊締具１０２の安定した取着状態を維持することが可能となる。
【００３６】
勿論、緊締具１０２は他端部１０２ｂを設けずに腕の部分を形成している他端部１０２ｂ´が終端となるように構成しても構わない。
（第２実施形態）
【００３７】
図７の薬剤塗布用具は、支持杆１の基端側を把手１２とし先端側に薬剤収容ケース或いは薬剤転着用アタッチメント等の筐体３を取り付けるにあたり、その先端側に湾曲部１１を設ける（或いは当初より湾曲部１２を有する支持杆１を用いる）とともに、緊締具２の支持杆１への取付構造に上記とは異なる態様を採り入れ、また緊締具２０２にも上記と異なる素材のものを採用している。
【００３８】
すなわち、この緊締具２０２は、一端部２０２ａを湾曲部１１よりも基端側において支持杆１に取り付け、他端部２０２ｂを自由端とした帯状のもので、当該緊締具２０２の素材に伸縮可能な弾性を有するゴムベルト素材が採用してある。そして、この緊締具２０２の他端部２０２ｂを湾曲部１１の先端を経て支持杆１の表面部１ａから裏面部１ｂに回り込ませ、その裏面部１ｂを他の部位として当該他端部２０２ｂを着脱可能に取着するようにしている。そのために、支持杆１の当該裏面部１ｂに面ファスナー要素２２２を取り付ける一方、緊締具２０２の他端部２０２ｂの対応する面にも面ファスナー要素２２１を取り付けて、これら両面ファスナー要素２２１，２２２により面ファスナー２０２ｘを構成している。
【００３９】
この支持杆１も、湾曲部１１に溝等による変形誘発部１１ａを有しており、また、把手１２の基端には突起１３ａが多数設けられてブラシ部１３が構成されている。このブラシ部１３の形成位置は、前記実施形態とは異なり筐体３を保持する表面部１ａ側ではなく反対側の裏面部１ｂであり、このようにブラシ部１３は何れの面に設けても構わない。
【００４０】
このように構成される薬剤塗布用具は、湾曲部１１に筐体３を添設してその上から緊締具２０２を係り合わせ、その緊締具２０２で湾曲部１１との間に筐体３を挟み込みつつ他端部２０２ｂを図８に矢印Ａで示すように湾曲部１１の裏面部１ｂに面ファスナー２０２ｘを介して取着することによって、筐体３を固定し得るようにしている。
【００４１】
このように構成しても、緊締具２０２を締付けた際に、湾曲部１１によって筐体３のおさまりが良好となる上に、帯状をなす緊締具２０２が筐体３の外周に沿うように添接し、その状態で緊締具２０２の他端部２０２ｂを支持杆１の湾曲部１１の裏面部１ｂに取着することで、緊締具２０２と支持杆１との間に筐体３を挟み込んで固定するので、緊締具２０２を筐体３の外周に有効な範囲に亘って密着させることができ、太さが変わってもずれ難い的確な固定状態を得ることができる。このような効果は、筐体が円筒以外の形状である場合等にも同様である。そして、ベルト状の緊締具２０２を筐体３に係り合わせて支持杆１に固定するだけであるので、掌全体で操作することができ、指に力が入り難い者にも扱い易い点も同様となる。さらに、この構成によると、緊締具２０２の他端部２０２ｂは筐体３を巻き込む操作によって自ずと支持杆１の裏面部１ｂに回り込んで取着されるので、例えば図５及び図６に示した構造と比較すれば、ワンタッチ操作で所期の固定状態を簡単に実現することができる。また、引き剥がし力が面ファスナー要素２２１，２２２に横方向に働くため、図１〜図４の構成と比して剥がれ難くなる効果も奏されることとなる。
【００４２】
特に、この実施形態では、緊締具２０２に伸縮可能な弾力を有するゴムベルト素材を用いているため、図８に矢印Ｂで示すごとく伸張した際のテンションを利用して筐体３をより強固に固定することができ、またゴムベルト素材を用いることで滑り防止の効果も得ることができる。このような構成は、湾曲部１１の弾力をさほど必要としないため、変形誘発部１１の変形が小さい場合や、変形誘発部１１を設けない態様も可能であり、このようなゴムベルト素材は、上記図１〜図４に示す第１実施形態の構成や図５及び図６に示す変形例の構成にも同様に適用することができる。
【００４３】
以上により、この薬剤塗布用具も、高齢者や疾患者等であって一人暮らしの者あるいは介護者の不在の時などに、背中等の手の届かない患部に薬剤を塗布する上で安全で更に使い勝手に優れた有用なものとなり、本実施形態はこのような薬剤塗布用具を簡単かつ安価に提供することができる。
【００４４】
なお、各部の具体的な構成は、上述した実施形態等のみに限定されるものではない。
【００４５】
例えば、上記第１実施形態や変形例、第２実施形態等では、内部に薬剤を収容した薬剤ケースの筐体を保持させたが、軟膏等のようにチューブや偏平なケース等に薬剤が入っていてそのまま取り付けられない場合等には、筐体の端部にゴム等によって薬剤が浸み込みにくい塗布部を形成した薬剤転着用アタッチメントの当該筐体を保持させ、これに薬剤を転着して用いることが有効となる。この場合の筐体の外形は図示の筐体３とほぼ同様のものの他、塗布部をキノコ状に拡径させたもの等が効果的である。
【００４６】
また、変形誘発部は、溝状の薄肉部を設ける以外に、単にその部位を薄肉にしたものや、その部位により撓り易い弾性に富んだ素材を用いるようにしても構わない。
【００４７】
さらに、本考案の基本的効果を奏する上で、湾曲部は必ずしも孫の手状に分かれている必要はなく、単に湾曲しているだけでも上記に準じた作用効果が奏される。
【００４８】
さらにまた、緊締具の一端部を支持杆に取り付ける際には、ボンド等の糊素材で貼着する態様や金具で固定する態様のほか、取付状態が不安定にならなければここにも面ファスナーを採用して取り付け位置を調整できるようにしておくこと等も望ましい。
【００４９】
また、緊締具の他端部に面ファスナーを取り付ける態様には、当該緊締具を構成するベルト素材等に面ファスナーを重合させて取り付ける態様のほか、当該緊締具を構成するベルト素材等の先端に面ファスナーを連設する態様なども含まれる。
【００５０】
その他の構成も、本考案の趣旨を逸脱しない範囲で種々変形が可能である。
【図面の簡単な説明】
【００５１】
【図１】本考案の第１実施形態に係る薬剤塗布用具を示す斜視図。
【図２】同側面図。
【図３】同実施形態の薬剤塗布用具を使用状態において示す側面図。
【図４】同平面図。
【図５】同実施形態の変形例を示す斜視図。
【図６】同変形例の薬剤塗布用具を使用状態において示す図。
【図７】本考案の第２実施形態に係る薬剤塗布用具を示す側面図。
【図８】同実施形態の薬剤塗布用具を使用状態において示す側面図。
【符号の説明】
【００５２】
１…支持杆
２，１０２，２０２…緊締具
２ａ、２０２ａ…一端部
２ｂ、１０２ｂ、２０２ｂ…他端部
２ｘ、１０２ｘ、２０２ｘ…面ファスナー
３…筐体
１１…湾曲部
１１ａ…変形誘発部（薄肉部）
１２…把手
【図１】
0003130998.tif 000003
【図２】
0003130998.tif 000004
【図３】
0003130998.tif 000005
【図４】
0003130998.tif 000006
【図５】
0003130998.tif 000007
【図６】
0003130998.tif 000008
【図７】
0003130998.tif 000009
【図８】
0003130998.tif 000010